(57)【特許請求の範囲】
【請求項１】
送付すべき品物を記載するためのリスト領域を少なくとも有する表示基材と、荷札部と受取票部とに区画され表示基材に貼付される配送伝票とを具備し、切取り予定線を介して複数枚が天地方向に連接してなる配送用帳票であって、配送伝票のレイアウトを、帳票全体の天地方向に対し２分の１以内に設計してあり、配送伝票は、切取り予定線で荷札部と受取票部とに区画された表示シートが、荷札部の方は擬似接着層を介し且つ受取票部の方は剥離層と擬似接着層とを介した状態でラベルシート上に貼着されたものであり、表示基材におけるリスト領域以外の表面に剥離層と粘着層を介して配送伝票をラベルシート側で貼付したことを特徴とする配送用帳票。
【発明の詳細な説明】
【０００１】
【発明の属する技術分野】
本発明は、配送伝票が形成された帳票に関し、例えば、通信販売業界などのように、複数種類の品物を同じ宛先に同時に送付する際に好適に利用される配送用帳票に関するものである。
【０００２】
【従来の技術】
近年、各種品物の質の向上及び均質化に伴い、実際に小売店で品物を手に取ることなく、カタログなどを見て購入する品物を決めて発注し、自宅などに送付された品物を確認した上で、品物代金を振り込む、いわゆる通信販売が盛んになってきている。ところが、この通信販売では、品物代金に加えて配送代金も負担しなければならないため、化粧品などのように品物の大きさ自体が小さい場合や、定期的に使用する品物を購入する場合や、生活協同組合のように複数の人が品物を共同購入する場合などには、複数の品物を同時に発注して送付することが行われている。
【０００３】
このような複数の品物を同時に一つの宛先に送付する場合に用いられる配送用帳票として、品物のピッキングから送付、代金の振込までに使用される各種の書類を一体化させたものが提案されている（例えば、特開平１０−２５８５９０号公報参照）。
【０００４】
【発明が解決しようとする課題】
従来の技術で述べた公報に記載の配送用帳票は、配送伝票と配送品明細書と払込取扱票とが表出するように一体化され、それぞれが分離可能に形成されたものであるため、各伝票のマッチングを取る必要がないという利点がある。しかしながら、この帳票では、配送伝票と、配送品明細書及び払込取扱票とを、それらの端部を重ねて一体化させているため、糊代部分が無駄になってしまうとともに、この帳票に情報をプリントアウトする際に、被プリントアウト面に段差が生じてしまうため、プリント不良が生じてしまうことがあった。
【０００５】
また、配送伝票と、配送品明細書及び払込取扱票とでは、使用される紙の種類や枚数が異なるため、一体化された後に生じる温度の変化によって、帳票にしわができてしまう。さらに、連続帳票の場合には、複数の帳票をその連接部分を境に折り畳んで箱に入れて保管するが、部分的に厚さの異なる帳票を折り畳むと、帳票の一番厚い部分が重なり合い、片側のみ厚くなってしまい、保管箱１箱に入れることのできる帳票の数が少なくなってしまう。
【０００６】
本発明は、上記のような問題点に鑑みてなされたものであり、その目的とするところは、用紙の無駄を省き、プリント不良やしわが生じにくく、連続帳票を折り畳んでも厚みの差が少ない配送用帳票を提供することにある。
【０００７】
【課題を解決するための手段】
上記の目的を達成するために、本発明の配送用帳票は、送付すべき品物を記載するためのリスト領域を少なくとも有する表示基材と、荷札部と受取票部とに区画され表示基材に貼付される配送伝票とを具備し、切取り予定線を介して複数枚が天地方向に連接してなる配送用帳票であって、配送伝票のレイアウトを、帳票全体の天地方向に対し２分の１以内に設計してあり、配送伝票は、切取り予定線で荷札部と受取票部とに区画された表示シートが、荷札部の方は擬似接着層を介し且つ受取票部の方は剥離層と擬似接着層とを介した状態でラベルシート上に貼着されたものであり、表示基材におけるリスト領域以外の表面に剥離層と粘着層を介して配送伝票をラベルシート側で貼付したことを特徴としている。
【０００９】
【発明の実施の形態】
図１は本発明に係る配送用帳票の一例を連続帳票で示す平面図、図２は図１のＸ−Ｘ断面の一部拡大図である。
【００１０】
連続帳票は、図１に示されるように、ミシン目などの切取り予定線ａ1 ，ａ2 を介して複数の配送用帳票Ｂが連接されている。また、配送用帳票Ｂの左右両端には、プリンターなどのピントラクタで移送するためのマージナルパンチホールが、スリット予定線として印刷されている切取り予定線ｂ1 ，ｂ2 を介して形成されている。
【００１１】
配送用帳票Ｂは、表示基材１と、この表示基材１に貼付された配送伝票２とを具備して構成されている。表示基材１は、リスト領域１０、払込票領域２０、購入品明細書領域３０及び返品交換領域４０から構成されている。
【００１２】
リスト領域１０は、切取り予定線ａ1 ，ｂ2 ，ｃ1 ，ｃ3 に囲まれた領域である。このリスト領域１０には、配送伝票２で送付される品物の一覧がプリントアウトされる。通信販売業者は、この品物の一覧に基づいて品物を箱詰めし、このピッキングリストは受取人に送付されずに破棄される。
【００１３】
払込票領域２０は、切取り予定線ａ1 ，ｃ3 ，ｃ1 ，ｂ1 に囲まれた領域であり、さらに払込票領域２０は、切取り予定線ｄ1 ，ｄ2 によって、払込取扱票２１、払込票兼受領証２２及び払込受領書２３に切取り可能に分割されている。これは郵便局で振り込めるように、郵便規則に合わせて設けられている。
【００１４】
この払込票領域２０には、払込先口座の番号や名義が予め印刷で設けられており、受取人や払込金額がプリントアウトされ、品物が詰められた箱に同封される。品物の受取人は、この払込票領域２０の用紙を用いて、郵便局又はコンビニエンスストアで購入金額を支払うことができる。
【００１５】
購入品明細書領域３０は、切取り予定線ｃ1 ，ｃ2 ，ａ2 ，ｂ1 に囲まれた領域である。この購入品明細書領域３０には、受取人自身の名前や、受取人が購入した品物名一覧、各品物の個数や購入金額、割引、合計金額、連絡事項などの情報がプリントアウトされ、お買い上げ明細書として、払込票と同様に、品物が詰められた箱に同封される。品物の受取人は、このお買い上げ明細書を用いて、箱に詰められた品物の確認を行うと共に、発注した品物が過不足なく送付されてきたかどうかを確認する。
【００１６】
返品交換領域４０は、切取り予定線ｃ1 ，ｃ3 ，ａ2 ，ｃ2 に囲まれた領域である。この返品交換領域４０には、返品又は交換する品物名や理由を記入する欄がある。受取人は、送付された品物を何らかの理由で返品又は交換したい場合に、この返品交換シートを利用する。
【００１７】
配送伝票２は、スリットなどによる切取り予定線ｅによって、荷札部２ａと受取票部２ｂとに区画されている。荷札部２ａ及び受取票部２ｂには、それぞれ宛先情報や発信人情報がプリントアウトされ、また受取票部２ｂにはさらに受取人捺印欄が設けられている。この配送伝票２は、表示基材１から剥がされ、品物が詰められた箱に貼付される。
【００１８】
ここで、配送伝票２の上下長さは、配送用帳票Ｂの天地方向の長さである切取り予定線ａ1 から切取り予定線ａ2 までの長さの１／２以下になっている。これは、切取り予定線ａ1 ，ａ2 で連接した配送用帳票Ｂを折り畳んだ時に、隣接する配送用帳票Ｂの配送伝票２が重なり合わないようにして、保管時の連続帳票の高さが高くならないようにするためである。折り畳んだ連続帳票の高さが低いと、保管箱に入れる配送用帳票Ｂの数を増やすことができる。このことは、連続している配送用帳票Ｂの数が多いことであり、プリンターへの連続帳票の掛け替え作業が少なくて済み、作業効率が向上する。
【００１９】
次に、図１のＸ−Ｘ断面の一部拡大図である図２に基づいて配送用帳票Ｂの構造を説明する。
【００２０】
配送伝票２は、ラベルシート５１上に表示シート５２が貼着されたものであり、表示シート５２における荷札部２ａに相当する部分は擬似接着層５３を介して貼着され、表示シート５２における受取票部２ｂに相当する部分は剥離層５４と擬似接着層５３を介して貼着されている。また、ラベルシート５１の上側に達するハーフスリットからなる切取り予定線ｅが荷札部２ａと受取票部２ｂとの間に形成されている。そして、表示基材１における配送伝票２を貼付すべき表面に、剥離層５５と粘着層５６を介して配送伝票２がラベルシート５１側で貼付されている。具体的には、表示基材１上に剥離インキをパターン印刷し、その上に配送伝票２を粘着剤にて貼付してある。
【００２１】
配送用帳票Ｂは、ノンインパクトプリンタにより印字される。そして、商品をピッキングした後に、配送伝票２を表示基材１から剥がす。この時、表示基材１上の配送伝票２は、剥離層５５と粘着層５６の界面で表示基材１から剥離されて、品物が詰められた箱に貼付され、箱を配送する際に利用される。
【００２２】
箱が受取人に送付されたとき、受取票部２ｂが、接着層５３と剥離層５４との界面及び切取り予定線ｅで配送伝票２から剥離され、受取人による受取印の捺印を受けた後、配達人によって、営業所に配達証として持ち帰られる。
【００２３】
表示基材１としては、充分な強度とプリンターによる印字適性及び搬送適性を有するものであれば使用でき、例えば、上質紙、クラフト紙、複写用紙、グラシン紙、パーチメント紙、レーヨン紙、コート紙、合成紙、樹脂フィルムによりラミネートされた紙等の紙が好適に用いられるが、セロファン、延伸ポリプロピレン、ポリエチレンテレフタレート、延伸ポリスチレン、ポリ塩化ビニル等の樹脂フィルムであってもよい。表示基材の厚さは、通常は２０〜２００μｍ程度が好ましい。
【００２４】
また、ラベルシート５１及び表示シート５２についても、表示基材１と同様の紙やフィルムが使用できる。
【００２５】
擬似接着層５３は、ラベルシート５１と表示シート５２を一体化するためのものであり、例えば、ウレタン系、アクリル系などの熱可塑性樹脂を使用することができ、フレキソ法、グラビア法などの公知の印刷法又はコーティング法によって、厚み０．１〜５０μｍ程度に塗布し、貼り合わせ後に、必要に応じて乾燥させる。ラベルシート５１と表示シート５２は、接着剤（又は樹脂）が乾燥していない状態で貼り合わせるウェット又はセミウェットラミネート方式、熱圧着方式や感圧方式によって貼り合わせる。
【００２６】
剥離層５４，５５としては、受取票部２ｂがラベルシート５１から、又配送伝票２が表示基材１から、それぞれ容易に剥離できるような接着性の低い樹脂を使用することが好ましく、ポリエチレン、ポリプロピレン、ポリブチレン等のオレフィン系（共）重合体を用いることが最も好ましいが、他にも、ポリスチレン、ポリビニルブチラール、酢酸ビニル共重合体、エチレン−酢酸ビニル共重合体、塩化ビニル−酢酸ビニル共重合体、アクリル樹脂、セルロース樹脂等の熱可塑性樹脂及びこれらの混合物からなるフィルムでもよい。また、ポリウレタン等の熱硬化性樹脂等から形成されたフィルムを用いてもよい。さらに、所望に応じて、酸化防止剤、熱安定剤、紫外線吸収剤、スリップ剤、帯電防止剤、防曇剤、着色剤、フィラー等が添加されていてもよい。剥離層５４，５５を形成するための樹脂の塗布量・塗布厚は特に限定されないが、好ましくは、塗布量は０．１〜１０μｍである。
【００２７】
粘着層５６は、荷物に配送伝票２を貼付可能とする層であり、アクリル系粘着剤が最も好ましいが、天然ゴム系粘着剤、合成ゴム系粘着剤、シリコーンゴム系粘着剤等でもよい。粘着層５６を形成するための粘着剤の塗布量・塗布厚は特に限定されないが、好ましくは、塗布量は０．１〜５０ｇ／ｍ2 であり、塗布厚は０．１〜５０μｍである。
【００２８】
荷物等の被着体に対する粘着層５６の接着力は、擬似接着層５３と剥離層５４との接着剤力よりも大きい必要があり、荷物等の被着剤に応じて、適宜、調整が必要である。また、剥離層５５と粘着層５６との接着力は、配送用帳票Ｂの取扱時に擬似接着層５３と剥離層５４を剥離させないために、擬似接着層５３と剥離層５４との接着力よりも小さい必要がある。
【００２９】
以上、本発明を実施の形態に基づいて説明してきたが、本発明による配送用帳票は、上記実施の形態に何ら限定されるものでなく、本発明の趣旨を逸脱しない範囲において種々の変更が可能であることは当然のことである。
【００３０】
例えば、図１に示すように、荷札部２ａにコーナーカットｆを設けると共に、受取票部２ｂに擬似接着層を形成しない非接着部分ｇを設けるようにしてもよい。すなわち、受取票部２ｂを剥がすキッカケとなる角部分は接着剤を抜き、荷札部２ａにはその角部分と対称となる位置にコーナーカットを入れておくことにより、受取票部２ｂを配送伝票２から剥がしやすくなる。
【００３１】
また、擬似接着層の面積を配送伝票よりも一回り大きくしてもよい。すなわち、擬似接着層を形成する接着剤は、ベタツキがなくなる材料であるため、擬似接着剤層の面積を配送伝票よりも一回り大きくすることにより、プリンタ搬送時の配送伝票の剥がれや引っ掛かりを防止することが可能となる。
【００３２】
【発明の効果】
以上に説明したように、本発明の配送用帳票は、配送伝票と明細票やピッキングリスト等からなる表示基材とが一体となっているため、同時に印字することが可能であり、且つマッチング作業の軽減が可能である。そして、配送伝票は明細票等からなる表示基材上から容易に剥がして、段ボール箱に貼付することが可能である。
【００３３】
また、配送伝票を剥がした後の表示基材表面についても印刷等を施しておけるため、無駄のない体裁の良い帳票を作製することができる。
【００３４】
また、配送伝票の配達票の裏面にある剥離インキを印刷する際に接着力を調整して、配達票を容易に剥がすことが可能である。
【００３５】
また、配送伝票のレイアウトを、帳票全体の天地方向に対し２分の１以内に設計したことにより、帳票を連続で積み重ねた際に配送伝票を貼り合わせ部分の凹凸が交互になるため用紙の傾斜が従来の２分の１となり、プリンタへの用紙かけかえ作業を半減することができる。
【図面の簡単な説明】
【図１】  本発明に係る配送用帳票の一例を連続帳票で示す平面図である。
【図２】  図１のＸ−Ｘ断面の一部拡大図である。
【符号の説明】
Ｂ  配送用帳票
１  表示基材
２  配送伝票
２ａ  荷札部
２ｂ  受取票部
１０  リスト領域
２０  払込票領域
２１  払込取扱票
２２  払込票兼受領証
２３  払込受領書
３０  購入品明細書領域
４０  返品交換領域
５１  ラベルシート
５２  表示シート
５３  擬似接着層
５４  剥離層
５５  剥離層
５６  粘着層
ａ1 ，ａ2 ，ｂ1 ，ｂ2 ，ｃ1 ，ｃ2 ，ｃ3 ，ｄ1 ，ｄ2 ，ｅ  切取り予定線
ｆ  コーナーカット
ｇ  非接着部分
【図１】
0004562151.tif 000002
【図２】
0004562151.tif 000003